(57)【要約】【課題】携帯型電子機器の薄型化を図ると共に、ケース部材の破損を防止する。【解決手段】内部に収容される第１の電子部品２１の一部が挿入される四角形の第１の開口２６を有するリアケース１２と、リアケース１２の第１の開口２６を覆う位置に配置されるリアパネルと、を備える。リアケース１２には、第１の開口２６の各隅部に、第１の開口２６の内周面から切り欠かれた凹部３０が形成されている。【選択図】図５
2010258966.tif 000002
【特許請求の範囲】
【請求項１】
内部に収容される電子部品の一部が挿入される四角形の開口を有するケース部材と、
前記ケース部材の前記開口を覆う位置に配置されるカバー部材と、を備え、
前記ケース部材には、前記開口の各隅部に、該開口の内周面から切り欠かれた凹部が形成されている、携帯型電子機器のケース構造。
【請求項２】
前記凹部が形成された前記開口を有する前記ケース部材は、樹脂材料によって一体成形されている、請求項１に記載の携帯型電子機器のケース構造。
【請求項３】
前記ケース部材の前記開口は、第１及び第２の電子部品がそれぞれ挿入される大きさが異なる第１及び第２の開口を含み、
前記第１及び第２の開口は、互いに連結されて形成されている、請求項１または２に記載の携帯型電子機器のケース構造。
【請求項４】
前記凹部は、円弧状に形成され、該円弧の両端が、前記開口の隣接する２つの内周面に弧状に連続されている、請求項１ないし３のいずれか１項に記載の携帯型電子機器のケース構造。
【請求項５】
請求項１ないし４のいずれか１項に記載の携帯型電子機器のケース構造と、
前記電子部品が実装された回路基板と、を備える携帯型電子機器。
【請求項６】
内部に収納される電子部品の一部が挿入される開口を有する前記ケース部材を形成する工程と、
前記ケース部材の前記開口を覆う位置に配置されるカバー部材を形成する工程と、を有し、
前記ケース部材を形成する工程では、前記開口の各隅部に、該開口の内周面から切り欠かれた凹部を形成する、携帯型電子機器の製造方法。
【請求項７】
前記ケース部材を形成する工程では、前記凹部が形成された前記開口を有する前記ケース部材を、樹脂材料を用いて一体成形する、請求項６に記載の携帯電子機器の製造方法。
【発明の詳細な説明】
【技術分野】
【０００１】
本発明は、内部に電子部品を収納するケース部材を備える携帯型電子機器のケース構造、携帯型電子機器、及び携帯型電子機器の製造方法に関する。
【背景技術】
【０００２】
携帯型電子機器として例えば折り畳み式の携帯型電話機は、主表示板が配置された受話部側の筐体と、操作ボタンが配列された送話部側の筐体と、がヒンジ部を介して回動可能に連結されて構成されている。受話部側の筐体は、一対のフロントケースとリアケースとを組み合わせて構成されている。
【０００３】
本発明に関連する携帯型電話機が備える受話部側の筐体としては、装飾効果を向上するために、不透明な樹脂材料からなるリアケースに、透明な樹脂材料からなるリアカバーが取り付けられた構成が知られている（例えば、特許文献１参照）。
【０００４】
また、携帯型電子機器において、リアケース側にＬＥＤ（発光ダイオード）や副表示板等の発光部品を配置する構成が採られる場合には、これらの発光部品を覆うリアカバーが透光性を有する材料によって形成され、リアケースが不透明な材料によって形成されている。
【０００５】
加えて、携帯型電話機の筐体では、例えば２つの異なる装飾加工を施すために、リアケースに施された装飾加工と異なる装飾加工が施されたリアカバーが、リアケースに組み付けられる構成が採られている。
【先行技術文献】
【特許文献】
【０００６】
【特許文献１】特開２００８−４９６２１号公報（図３）
【発明の概要】
【発明が解決しようとする課題】
【０００７】
上述したように、リアケースにリアカバーが組み付けられる構造の携帯型電話機においても、近年、更なる薄型化が図られている。これに伴って、筐体の内部に収納される回路基板の電子部品と、リアカバーとが干渉する程度以上に、筐体の厚さを減らす場合には、回路基板の実装面に垂直な方向である、電子部品の高さ方向の一部が挿入される開口をリアケースに形成する構成、いわゆる部品逃がし構造が考えられている。このように、リアケースに形成される開口は、回路基板の実装面に平行な面における形状が四角形の電子部品が挿入される場合、電子部品の形状よりやや大きい四角形に形成されており、開口を形成するのに伴ってリアケースの機械的強度が低下するのが抑えられている。
【０００８】
しかしながら、リアケースに四角形の開口が形成された場合、携帯型電話機の取り扱い時に筐体の外部から衝撃や押圧力等の外力が加わったときに、開口の四隅に応力が集中してしまう。このため、リアケースの開口の四隅にクラックが生じ、リアケースが破損してしまうおそれがある。
【０００９】
このような応力集中を防ぐために、四角形の開口の四隅を円弧状に形成する構成が考えられる。しかし、隅部が円弧状に形成された開口に、四角形の電子部品が挿入される場合には、電子部品の角部と開口の隅部との干渉を防ぐために、この干渉量に応じて開口を大きく形成する必要がある。その結果、開口が形成されたリアケースの機械的強度を低下させてしまう。
【００１０】
本発明は、上述した課題を解決することができる携帯型電子機器のケース構造、携帯型電子機器及びその製造方法を提供することを目的とする。その目的の一例は、携帯型電子機器の薄型化を図ると共に、ケース部材の破損を防止することである。
【課題を解決するための手段】
【００１１】
本発明の１つの態様に係る携帯型電子機器のケース構造は、内部に収容される電子部品の一部が挿入される四角形の開口を有するケース部材と、ケース部材の開口を覆う位置に配置されるカバー部材と、を備える。ケース部材には、開口の各隅部に、開口の内周面から切り欠かれた凹部が形成されている。
【００１２】
また、本発明に係る携帯型電子機器は、本発明の携帯型電子機器のケース構造と、電子部品が実装された回路基板と、とを備える。
【００１３】
また、本発明に係る携帯型電子機器の製造方法は、内部に収納される電子部品の一部が挿入される開口を有するケース部材を形成する工程と、ケース部材の開口を覆う位置に配置されるカバー部材を形成する工程と、を有する。ケース部材を形成する工程では、開口の各隅部に、開口の内周面から切り欠かれた凹部を形成する。
【発明の効果】
【００１４】
上述したように本発明によれば、携帯型電子機器の薄型化を図ると共に、ケース部材の破損を防止することができる。
【図面の簡単な説明】
【００１５】
【図１】実施形態の携帯型電話機を示す模式図である。
【図２】実施形態の携帯型電話機が備える受話部側の筐体を示す斜視図である。
【図３】実施形態の携帯型電話機が備えるリアケースを示す平面図である。
【図４】図３に示した実施形態の携帯型電話機のＡ−Ａ線に沿った断面図である。
【図５】実施形態におけるリアケースの第１及び第２の開口を拡大して示す平面図である。
【図６】実施形態におけるリアケースの第１及び第２の開口が有する凹部を示す拡大図である。
【図７】実施形態におけるリアケースの第１の開口を示す断面図である。
【発明を実施するための形態】
【００１６】
以下、本発明の具体的な実施形態について、図面を参照して説明する。
【００１７】
本発明に係る携帯型電子機器の一例として、実施形態の携帯型電話機を説明する。図１及び図２に示すように、携帯型電話機１は、主表示板が配置された受話部側の筐体６と、操作ボタン９が配列された送話部側の筐体７と、がヒンジ部８を介して回動可能に連結されている。
【００１８】
受話部側の筐体６は、一対のフロントケース１１及びリアケース１２と、ケース部材としてのリアケース１２に組み付けられる、カバー部材としてのリアカバー１３と、を備えている。フロントケース１１及びリアケース１２は、不透明な樹脂材料によって形成されている。リアカバー１３は、リアカバー本体１３ａと、このリアカバー本体１３ａに組み付けられるリアパネル１３ｂとを有している。リアカバー１３は、リアカバー本体１３ａが、不透明な樹脂材料によって形成されており、リアパネル１３ｂが、光透過性を有する樹脂材料によって形成されている。
【００１９】
また、受話部側の筐体６には、図４に示すように、電子部品１６が実装された回路基板１５が配置されており、電子部品１６がリアケース１２の内部に収納されている。また、受話部側の筐体６には、主表示板１７として、例えば液晶表示板や有機ＥＬ（エレクトロルミネッセンス）ディスプレイが配置されている。この主表示板１２は、フロントパネル１８によって覆われている。
【００２０】
図２及び図３に示すように、リアケース１２には、このリアケース１２の内部に収納される第１の電子部品２１の一部が挿入される四角形の第１の開口２６が形成されている。また、リアケース１２には、回路基板１５上の第２の電子部品２２の一部が挿入される四角形の第２の開口２７が形成されている。これら第１の開口２６と第２の開口２７には、図５に示すように、回路基板１５の実装面に平行な方向の大きさが異なる第１及び第２の電子部品２１、２２がそれぞれ挿入されており、第１の開口２６と第２の開口２７の開口面積がそれぞれ異なっている。
【００２１】
そして、第１の開口２６及び第２の開口２７の各隅部には、内周面から切り欠かれた凹部３０がそれぞれ形成されている。このような凹部３０が形成された第１及び第２の開口２６、２７を有するリアケース１２は、樹脂材料によって一体成形されている。凹部３０は、例えば図６に示すように、第１及び第２の開口２６、２７における隣接する２つの内周面からそれぞれ延ばした直線が交差する点Ｏを中心とする円弧状に形成されている。また、凹部３０を形成する円弧の両端は、第１及び第２の開口２６、２７の内周面に弧状に滑らかに連続されている。
【００２２】
このように凹部３０が形成されることで、開口における応力集中する箇所を解消すると共に、開口内に配置される四角形の電子部品の角部が開口の隅部に衝突するのを防ぐことができる。したがって、携帯型電話機１の取り扱い時に、受話部側の筐体６の外部から衝撃が加わった場合であっても、リアケース１２の開口が破損するのを防ぐことができる。
【００２３】
なお、凹部３０の形状は、上述した円弧状に限定されるものでなく、応力集中を防ぐと共に電子部品の角部が衝突するのを避けるように切り欠かれた形状であればよく、例えば、開口の隅部から開口の対角線に沿って延ばされた延長部と、この延長部の端部に形成された円弧部とを有する形状等の他の形状に形成されてもよいことは勿論である。
【００２４】
また、第１の開口２６及び第２の開口２７は、図５に示すように、隣接する内周面の一部が、互いに連結されて形成されている。このように第１の開口２６と第２の開口２７が互いに連結されることで、各隅部に形成される凹部３０の個数を減らせる。このため、リアケース１２の成形性の向上を図り、リアケース１２の成形用金型のキャビティ構造の簡素化を図ることが可能になる。
【００２５】
リアケース１２の第１及び第２の開口２６、２７内には、図４中の部分を拡大した図７に示すように、回路基板１５の実装面に垂直な方向である、第１及び第２の電子部品２１、２２の高さ方向の一部が挿入されている。第１及び第２の電子部品２１、２２は、第１及び第２の開口２６、２７からリアパネル１３ｂ側に突出されていない。
【００２６】
なお、リアケース１２は、第１及び第２の開口２６、２７の縁部の厚みが０．８ｍｍ程度に形成されており、リアパネル１３ｂの厚みは、１ｍｍ程度に形成されている。
【００２７】
また、図３及び図４に示すように、リアケース１２には、第３の電子部品２３の一側面側の一部（図４中の右側の角部）が挿入される長方形状の第３の開口２８が形成されている。この第３の開口２８も、第１及び第２の開口２６、２７と同様に、各隅部に凹部３０がそれぞれ形成されている。
【００２８】
また、リアケース１２には、第４の電子部品２４の一側面側の一部（図４中の左側の角部）が挿入されるスリット状の第４の開口２９が形成されている。この第４の開口２９も、第１及び第２の開口２６、２７と同様に、各隅部に凹部３０がそれぞれ形成されている。
【００２９】
そして、リアケース１２の第１から第４の開口２６〜２９は、リアカバー１３のリアパネル１３ｂによって覆われている。リアパネル１３ｂは、リアカバー本体１３ａに接着剤によって接合されている。また、リアケース１２は、リアパネル１３ｂに接着剤によって接合されている。
【００３０】
また、リアケース１２には、図２及び図３に示すように、副表示板３１及びＬＥＤ３２が配置されている。これら副表示板３１の表示や、ＬＥＤ３２の発光状態は、リアパネル１３ｂを通して視認可能にされている。
【００３１】
次に、以上のように構成された携帯型電話機の製造方法について説明する。
【００３２】
本実施形態の製造方法は、内部に収納される第１から第４の電子部品２１〜２４の一部がそれぞれ挿入される第１から第４の開口２６〜２９を有するリアケース１２を形成する工程と、リアケース１２の第１から第４の開口２６〜２９を覆ってリアケース１２に取り付けられるリアパネル１３ｂを有するリアカバー１３を形成する工程と、を有する。
【００３３】
そして、リアケース１２を形成する工程では、第１から第４の開口２６〜２９の各隅部に、各開口２６〜２９の内周面から切り欠かれた凹部を形成する。また、リアケース１２を形成する工程では、凹部３０が形成された各開口２６〜２９を有するリアケース１２を、樹脂材料を用いて、成形用金型によって一体成形する。
【００３４】
上述したように、携帯型電話機１は、第１の電子部品２１の一部が挿入される四角形の第１の開口２６を有するリアケース１２を備え、リアケース１２の第１の開口２６の各隅部に、第１の開口２６の内周面から切り欠かれた凹部３０が形成されている。この構成によって、リアケース１２の第１の開口２６を、第１の電子部品２１の大きさに応じた必要最小限の開口面積に形成することによってリアケース１２の機械的強度が低下するのを防ぐと共に、第１の電子部品２１の角部と第１の開口２６の隅部との衝突を防ぐことができる。その結果、携帯型電話機１によれば、機器全体の薄型化を図ると共に、リアケース１２の破損を防止することができる。
【００３５】
なお、上述した実施形態では、凹部を有する開口が、リアケースに形成される構成について説明したが、リアケースに形成される構成に限定するものではなく、内部に電子部品を収納するための他の部材に形成されてもよい。例えば携帯型電話機が、フロントケース側に、回路基板を支持する支持板を配置するような構造を採る場合には、支持板に、凹部を有する開口が形成されてもよい。
【００３６】
また、本発明に係る携帯型電子機器について、実施形態の携帯型電話機を挙げて説明したが、携帯型電話機に限定されるものでなく、例えばＰＤＡ（Personal Data Assistant）や、携帯型通信機器に用いられて好適である。
【符号の説明】
【００３７】
１  携帯型電話機（携帯型電子機器）
６  受話部側の筐体
１１  フロントケース
１３  リアカバー
１３ｂ  リアパネル（カバー部材）
１２  リアケース（ケース部材）
２１  第１の電子部品
２６  第１の開口
３０  凹部
【図１】
2010258966.tif 000003
【図２】
2010258966.tif 000004
【図３】
2010258966.tif 000005
【図４】
2010258966.tif 000006
【図５】
2010258966.tif 000007
【図６】
2010258966.tif 000008
【図７】
2010258966.tif 000009